(57)【要約】【課題】傾斜溝がタイルを横断して形成されてタイルの強度を著しく低下させることがなく、必要な部位のみに部分的に傾斜溝が形成されたタイルを効率的に量産することができる傾斜溝形成用タイル切削装置および傾斜溝形成用タイルの切削方法を提供する。【解決手段】本発明の傾斜溝形成用タイル切削装置１および傾斜溝形成用タイルの切削方法は、タイル５０を載置固定するためのタイル支持台２と、タイル支持台２に対して相対的に昇降可能に設けられると共に傾斜して配された複数のカッター３ａ，３ｂ，３ｃ，３ｄとを有し、カッター３ａ，３ｂ，３ｃ，３ｄが回転しながら昇降することにより、タイル５０を部分的に切削して傾斜溝５１，５２がそれぞれ形成されるものである。【選択図】図２
2018065252.tif 000002
【特許請求の範囲】
【請求項１】
タイルを載置固定するためのタイル支持台と、該タイル支持台に対して相対的に昇降可能に設けられると共に傾斜して配されたカッターとを有し、該カッターが回転しながら昇降することにより、タイルを部分的に切削して傾斜溝が形成されることを特徴とする傾斜溝形成用タイル切削装置。
【請求項２】
前記タイル支持台は、カッター侵入用長穴を有し、前記カッターは前記タイル支持台の下方に設けられ、前記タイル支持台に載置固定されたタイルは、前記カッターがカッター侵入用長穴に侵入し上昇することにより、下方から切削されて傾斜溝が形成されるものである請求項１に記載の傾斜溝形成用タイル切削装置。
【請求項３】
前記傾斜溝形成用タイル切削装置は、前記タイル支持台の上方に昇降可能に設けられたタイル固定用押圧体を有している請求項１または２に記載の傾斜溝形成用タイル切削装置。
【請求項４】
前記傾斜溝形成用タイル切削装置は、対向する向きに配された複数の前記カッターを有し、対向する傾斜溝が形成可能に構成されている請求項１ないし３のいずれかに記載の傾斜溝形成用タイル切削装置。
【請求項５】
前記傾斜溝形成用タイル切削装置は、同一の向きに配された複数の前記カッターを有し、当該複数の前記カッターの離間距離を調整するための離間距離調整機構を有している請求項１ないし４のいずれかに記載の傾斜溝形成用タイル切削装置。
【請求項６】
タイルを載置固定するためのタイル支持台と、該タイル支持台に対して相対的に昇降可能に設けられると共に傾斜して配されたカッターとを有する傾斜溝形成用タイル切削装置による傾斜溝形成用タイルの切削方法であって、前記カッターが回転しながら昇降することにより、タイルを部分的に切削して傾斜溝が形成されることを特徴とする傾斜溝形成用タイルの切削方法。
【発明の詳細な説明】
【技術分野】
【０００１】
本発明は、タイルの裏面等に傾斜溝を形成する際に使用して好適な傾斜溝形成用タイル切削装置および傾斜溝形成用タイルの切削方法に関するものである。
【背景技術】
【０００２】
従来より、例えば図７または図８に示すように、タイル５０の裏面５０ａに金属製の剥落防止具６０を固定し、この状態で壁面等に張設することで、壁面等からのタイル５０の剥落を防止することが行われている。
【０００３】
このような剥落防止具６０をタイル５０に固定する場合、図８に示すように、タイルの裏面５０ａに貫通しない傾斜溝５１，５２を形成する必要があり、従来は、例えば特開平７−９６５１５号公報のタイルの切断装置を使用して貫通しない傾斜溝５１，５２を形成していた。
【０００４】
しかし、この種のタイルの切断装置は、ワーク支持台上に固定したタイルに対して横方向からカッターが回転しながらタイルを横断して切削するものであるため、傾斜溝もタイルを横断したものとなってしまっていた。このため、タイルが横断した傾斜溝に沿って分断するおそれがあり、タイル強度を著しく低下させるものであった。
【先行技術文献】
【特許文献】
【０００５】
【特許文献１】特開平７−９６５１５号公報
【発明の概要】
【発明が解決しようとする課題】
【０００６】
そこで、本発明の課題は、傾斜溝がタイルを横断して形成されてタイルの強度を著しく低下させることがなく、必要な部位のみに部分的に傾斜溝が形成されたタイルを効率的に量産することができる傾斜溝形成用タイル切削装置および傾斜溝形成用タイルの切削方法を提供することにある。
【課題を解決するための手段】
【０００７】
上記課題を解決するものは、タイルを載置固定するためのタイル支持台と、該タイル支持台に対して相対的に昇降可能に設けられると共に傾斜して配されたカッターとを有し、該カッターが回転しながら昇降することにより、タイルを部分的に切削して傾斜溝が形成されることを特徴とする傾斜溝形成用タイル切削装置である（請求項１）。
また、上記課題を解決するものは、タイルを載置固定するためのタイル支持台と、該タイル支持台に対して相対的に昇降可能に設けられると共に傾斜して配されたカッターとを有する傾斜溝形成用タイル切削装置による傾斜溝形成用タイルの切削方法であって、前記カッターが回転しながら昇降することにより、タイルを部分的に切削して傾斜溝が形成されることを特徴とする傾斜溝形成用タイルの切削方法である（請求項６）。
【０００８】
前記タイル支持台は、カッター侵入用長穴を有し、前記カッターは前記タイル支持台の下方に設けられ、前記タイル支持台に載置固定されたタイルは、前記カッターがカッター侵入用長穴に侵入し上昇することにより、下方から切削されて傾斜溝が形成されるものであることが好ましい（請求項２）。前記傾斜溝形成用タイル切削装置は、前記タイル支持台の上方に昇降可能に設けられたタイル固定用押圧体を有していることが好ましい（請求項３）。前記傾斜溝形成用タイル切削装置は、対向する向きに配された複数の前記カッターを有し、対向する傾斜溝が形成可能に構成されていることが好ましい（請求項４）。前記傾斜溝形成用タイル切削装置は、同一の向きに配された複数の前記カッターを有し、当該複数の前記カッターの離間距離を調整するための離間距離調整機構を有していることが好ましい（請求項５）。
【発明の効果】
【０００９】
請求項１に記載した傾斜溝形成用タイル切削装置によれば、傾斜溝がタイルを横断して形成されてタイルの強度を著しく低下させることがなく、必要な部位のみに部分的に傾斜溝が形成されたタイルを効率的に量産することができる。
請求項２に記載した傾斜溝形成用タイル切削装置によれば、厚さの異なるタイルに対しても、カッターの昇降距離の設定を変更することなく、同一深さ同一幅の傾斜溝を形成できると共に、タイル支持台２の下方に切削装置を配置して切削用空間として使用することができ、タイル支持台２の上方をタイル固定用空間としてのみ使用することができる。
請求項３に記載した傾斜溝形成用タイル切削装置によれば、タイル支持台上に載置されたタイルをより確実に固定することができる。
請求項４に記載した傾斜溝形成用タイル切削装置によれば、剥落防止具を固定可能とする対向する線対称の傾斜溝を一度に形成することができる。
請求項５に記載した傾斜溝形成用タイル切削装置によれば、傾斜溝の形成位置を変更できることで、タイル裏面における複数の剥落防止具の固定位置をタイルの大きさに対応して変更することができる。
請求項６に記載した傾斜溝形成用タイルの切削方法によれば、傾斜溝がタイルを横断して形成されてタイルの強度を著しく低下させることがなく、必要な部位のみに部分的に傾斜溝が形成されたタイルを効率的に量産することができる。
【図面の簡単な説明】
【００１０】
【図１】本発明の傾斜溝形成用タイル切削装置の一実施例の正面概略図である。
【図２】図１の左側面概略図である。
【図３】図１の平面概略図である（水平バーおよびタイル固定用押圧ユニット省略）。
【図４】図１に示した傾斜溝形成用タイル切削装置の作用を説明するための正面概略図である。
【図５】図１に示した傾斜溝形成用タイル切削装置の作用を説明するための左側面概略図である。
【図６】図１に示した傾斜溝形成用タイル切削装置の作用を説明するための平面概略図である（水平バーおよびタイル固定用押圧ユニット省略）。
【図７】タイルの裏面に剥落防止具を固定した状態を示す平面図である。
【図８】図７のＡ-Ａ線断面図である。
【発明を実施するための形態】
【００１１】
本発明では、タイル５０を載置固定するためのタイル支持台２と、タイル支持台２に対して相対的に昇降可能に設けられると共に傾斜して配された複数のカッター３ａ，３ｂ，３ｃ，３ｄとを有し、カッター３ａ，３ｂ，３ｃ，３ｄが回転しながら昇降することにより、タイル５０を部分的に切削して傾斜溝５１，５２がそれぞれ形成され、傾斜溝５１，５２がタイル５０を横断して形成されてタイル５０の強度を著しく低下させることがなく、必要な部位のみに部分的に傾斜溝５１，５２が形成されたタイル５０を効率的に量産できる傾斜溝形成用タイル切削装置および傾斜溝形成用タイルの切削方法を実現した。
【実施例１】
【００１２】
本発明の傾斜溝形成用タイル切削装置および傾斜溝形成用タイル切削装置による傾斜溝形成用タイルの切削方法を図１ないし図６に示した一実施例を用いて説明する。
この実施例の傾斜溝形成用タイル切削装置１は、図１ないし図３に示すように、タイル５０を載置固定するためのタイル支持台２と、タイル支持台２に対して相対的に昇降可能に設けられると共に傾斜して配された複数のカッター３ａ，３ｂ，３ｃ，３ｄとを有し、カッター３ａ，３ｂ，３ｃ，３ｄが回転しながら昇降することにより、タイル５０を部分的に切削して傾斜溝５１，５２がそれぞれ形成されることを特徴とする傾斜溝形成用タイル切削装置であり、タイル支持台２の上方に昇降可能に設けられたタイル固定用押圧体４と、カッター３ａと３ｃの離間距離、およびカッター３ｂと３ｄの離間距離を調整するための離間距離調整機構５を有している。以下、各構成について順次詳述する。
【００１３】
この実施例の傾斜溝形成用タイル切削装置１は、図７に示したように、タイル５０の裏面５０ａに、２つの剥落防止具６０を離間して固定するための計４本の傾斜溝５１，５２を同時に形成することができる切削装置である。
【００１４】
タイル支持台２は、傾斜溝５１，５２を形成するタイル５０を載置して固定するためのものであり、この実施例では、カッター３ａ，３ｂ，３ｃ，３ｄは、このタイル支持台２の下方に配され、上昇してタイル５０に傾斜溝５１，５２を形成するため、タイル５０は、タイル支持台２上において傾斜溝５１，５２を形成する裏面５０ａを下側にして載置される。
【００１５】
タイル支持台２は、カッター３ａ，３ｂ，３ｃ，３ｄがそれぞれ侵入するための４本のカッター侵入用長穴２Ａを有しており、タイル支持台２に載置固定されたタイル５０は、カッター３ａ，３ｂ，３ｃ，３ｄがそれぞれカッター侵入用長穴２Ａに侵入し上昇することにより、下方から切削されて４本の傾斜溝５１，５２がそれぞれ形成されるように構成されている。
【００１６】
カッター３ａ，３ｂ，３ｃ，３ｄは、タイル支持台２に対して相対的に昇降可能に設けられると共に傾斜して配されている。なお、この実施例のカッター３ａ，３ｂ，３ｃ，３ｄはダイヤモンドカッターであるが、タイルを切削して傾斜溝を形成可能なものであればどのようなカッターであってもよい。また、カッター３ａ，３ｂ，３ｃ，３ｄのタイル支持台２に対する傾斜角としては、それぞれ６０°になるよう、カッター３ａ，３ｂ，３ｃ，３ｄが傾斜して配されている。ただし、カッター３ａ，３ｂ，３ｃ，３ｄのタイル支持台２に対する傾斜角は６０°に限定されるものではなく、タイル裏面５０ａに固定される剥落防止具に応じて設定変更可能に構成されている。
【００１７】
そして、カッター３ａ，３ｂ，３ｃ，３ｄがモーター６ａ，６ｂ，６ｃ，６ｄにより回転しながら昇降することにより、タイル５０を部分的に切削して傾斜溝５１，５２がそれぞれ形成される。
【００１８】
このように、本発明の傾斜溝形成用タイル切削装置１は、カッター３ａ，３ｂ，３ｃ，３ｄが回転しながら昇降することで、タイル５０を部分的に切削して傾斜溝５１，５２を形成するため、従来の装置のように、傾斜溝がタイルを横断して形成されてタイルの強度を著しく低下させることがなく、必要な部位のみに部分的に傾斜溝５１，５２を形成したタイルを効率的に量産できる。
【００１９】
なお、この実施例の傾斜溝形成用タイル切削装置１は、カッター３ａ，３ｂ，３ｃ，３ｄがタイル支持台２の下方に配され、タイル５０の下方から傾斜溝５１，５２を切削するものであるが、本発明の傾斜溝形成用タイル切削装置は、これに限定されず、カッターがタイル支持台の上方に配され、タイルの上方からカッターが回転しながら下降して傾斜溝を切削するものも本発明の範疇に包含される。
【００２０】
ただし、タイル５０の下方から傾斜溝５１，５２を切削する方が、厚さの異なるタイルに対しても、カッター３ａ，３ｂ，３ｃ，３ｄの昇降距離の設定を変更することなく、同一深さ同一幅の傾斜溝を形成できる点でより好ましい。また、タイル５０の下方から傾斜溝５１，５２を切削する方が、タイル支持台２の下方に切削装置を配置して切削用空間として使用することができ、他方、タイル支持台２の上方をタイル固定用空間としてのみ使用することができる。
【００２１】
また、傾斜溝形成用タイル切削装置１は、図２または図３に示すように、対向する向きに配された２対のカッター３ａとカッター３ｂ、およびカッター３ｃとカッター３ｄとを有し、対向する（図８に示すように、傾斜溝５１，５２の間の垂直線を基準として線対称の）傾斜溝５１，５２が形成可能に構成されている。これらのカッター３ａ，３ｂ，３ｃ，３ｄにより、剥落防止具６０を固定可能とする対向する線対称の傾斜溝５１，５２を２ケ所に一度に形成することができる。
【００２２】
さらに、傾斜溝形成用タイル切削装置１は、図１または図３に示すように、同一の向きに配された２組のカッターカッター３ａとカッター３ｃ、およびカッター３ｂとカッター３ｄとを有し、カッターカッター３ａとカッター３ｃの離間距離、およびカッター３ｂとカッター３ｄの離間距離を調整するための離間距離調整機構５を有している。これにより、傾斜溝の形成位置を変更でき、タイル裏面における複数の剥落防止具の固定位置をタイルの大きさに対応して変更することができる。
【００２３】
具体的には、離間距離調整機構５は、図３に示すように、傾斜溝形成用タイル切削装置１の平面視中央付近を横断して回動可能に取り付けられ、一方側（図３中左側）と他方側（図３中右側）に逆回転の雄螺子を備えたシャフト５ａと、シャフト５ａの他端に取り付けられ、シャフト５ａを正逆回転するためのハンドル５ｂと、シャフト５ａの一方側に取り付けられ、内面に一方側の雄螺子に螺合する雌螺子を備えた一方側往復動体５ｃと、シャフト５ａの他方側に取り付けられ、内面に他方側の雄螺子に螺合する雌螺子を備えた他方側往復動体５ｄとを有している。
【００２４】
なお、カッター３ａと、カッター３ａをチェーン７ａを介して回転させるモーター６ａと、カッター３ａを昇降させる昇降機８ａとを備えた切削ユニット９ａと、カッター３ｂと、カッター３ｂをチェーン７ｂを介して回転させるモーター６ｂと、カッター３ｂを昇降させる昇降機８ｂとを備えた切削ユニット９ｂは、他方側往復動体５ｄに固定されており、他方側往復動体５ｄの往復動に従ってシャフト５ａに沿って移動するように構成されている。
【００２５】
他方、カッター３ｃと、カッター３ｃをチェーン７ｃを介して回転させるモーター６ｃと、カッター３ｃを昇降させる昇降機８ｃとを備えた切削ユニット９ｃと、カッター３ｄと、カッター３ｄをチェーン７ｄを介して回転させるモーター６ｄと、カッター３ｄを昇降させる昇降機８ｄとを備えた切削ユニット９ｄは、一方側往復動体５ｃに固定されており、一方側往復動体５ｃの往復動に従ってシャフト５ａに沿って移動するように構成されている。
【００２６】
そして、ハンドル５ｂを時計回りに回転させると、一方側往復動体５ｃと他方側往復動体５ｄはシャフト５ａに沿って両者が接近する方向にそれぞれ移動し、これに伴って、切削ユニット９ａと切削ユニット９ｃとの離間距離、および切削ユニット９ｂと切削ユニット９ｄとの離間距離が小さくなって、カッター３ａとカッター３ｃとの離間距離、およびカッター３ｂとカッター３ｄとの離間距離も小さくなるように調整可能に構成されている。
【００２７】
他方、ハンドル５ｂを反時計回りに回転させると、一方側往復動体５ｃと他方側往復動体５ｄはシャフト５ａに沿って両者が離間する方向にそれぞれ移動し、これに伴って、切削ユニット９ａと切削ユニット９ｃとの離間距離、および切削ユニット９ｂと切削ユニット９ｄとの離間距離が大きくなって、カッター３ａとカッター３ｃとの離間距離、およびカッター３ｂとカッター３ｄとの離間距離も大きくなるように調整可能に構成されている。
【００２８】
タイル固定用押圧体４は、タイル支持台２上に載置されたタイル５０を固定するためのものであり、この実施例のタイル固定用押圧体４はローラーにて構成されている。具体的には、タイル固定用押圧体４は、図１または図２に示すように、タイル支持台２の上方に架設された水平バー１２に離間して取り付けられた２つのタイル固定用押圧ユニット１０に昇降装置（シリンダー）１１を介して昇降可能に取り付けられている。これらタイル固定用押圧体４が下降してタイル支持台２上に載置されたタイル５０を上方より押圧することで、より確実に固定することができるように構成されている。
【００２９】
つぎに、本発明の傾斜溝形成用タイル切削装置１による傾斜溝５１，５２の形成方法をその特徴的作用と共に説明する。
傾斜溝形成用タイル切削装置１によってタイル傾斜溝５１，５２を形成する場合、まず、タイル５０を裏面５０ａを下側にしてタイル支持台２上に載置する。タイル支持台２上におけるタイル５０の位置決めを行った後、タイル固定用押圧ユニット１０の昇降装置（シリンダー）１１を駆動させてタイル固定用押圧体４を降下させ、タイル５０を上面より押圧してタイル支持台２上で固定する。
【００３０】
つぎに、離間距離調整機構５のハンドル５ｂを回動させて、タイル５０の大きさに応じてカッター３ａとカッター３ｃの間の距離と、カッター３ｂとカッター３ｄの間の距離を調整する。
【００３１】
上記状態で、モーター６ａ，６ｂ，６ｃ，６ｄを駆動させてカッター３ａ，３ｂ，３ｃ，３ｄを回転させながら、昇降機８ａ，８ｂ，８ｃ，８ｄを駆動させて、図４ないし図６に示すように、カッター３ａ，３ｂ，３ｃ，３ｄを設定された距離だけ上昇させる。この間にカッター３ａ，３ｂ，３ｃ，３ｄは、それぞれカッター侵入用長穴２Ａに侵入した後、タイル５０の裏面５０ａをそれぞれ切削して傾斜溝５１，５２が形成される。
【００３２】
傾斜溝５１，５２の形成が終了したら、昇降機８ａ，８ｂ，８ｃ，８ｄによりカッター３ａ，３ｂ，３ｃ，３ｄが降下して初期位置（図１または図２の位置）にて停止すると共に、モーター６ａ，６ｂ，６ｃ，６ｄの駆動を停止してカッター３ａ，３ｂ，３ｃ，３ｄの回転を停止させる。その後、タイル固定用押圧ユニット１０の昇降装置（シリンダー）１１を駆動させてタイル固定用押圧体４を上昇させ、タイル固定用押圧体４によるタイル５０の押圧を解除してタイル支持台２上からタイルを取り除く。
【００３３】
そして、本発明の傾斜溝形成用タイル切削装置１では、上記動作を繰り返すことにより、タイル５０を部分的に切削して傾斜溝５１，５２を形成することができ、傾斜溝５１，５２がタイル５０を横断して形成されてタイル５０の強度を著しく低下させることがなく、必要な部位のみに部分的に傾斜溝５１，５２が形成されたタイル５０を効率的に量産することができる。なお、例えば離間距離調整機構を自動化することにより、カッター３ａ，３ｂ，３ｃ，３ｄが回転しながら水平方向に移動可能とすることで、傾斜溝５１，５２の長さを適宜設定可能な装置も本発明の傾斜溝形成用タイル切削装置の範疇に包含される。
【符号の説明】
【００３４】
１      傾斜溝形成用タイル切削装置
２      タイル支持台
２Ａ    カッター侵入用長穴
３ａ，３ｂ，３ｃ，３ｄ    カッター
４      タイル固定用押圧体
５      離間距離調整機構
５ａ    シャフト
５ｂ    ハンドル
５ｃ    一方側往復動体
５ｄ    他方側往復動体
６ａ，６ｂ，６ｃ，６ｄ  モーター
７ａ，７ｂ，７ｃ，７ｄ  チェーン
８ａ，８ｂ，８ｃ，８ｄ  昇降機
９ａ，９ｂ，９ｃ，９ｄ  切削ユニット
１０    タイル固定用押圧ユニット
１１    昇降装置
１２    水平バー
５０    タイル
５０ａ  裏面
５１，５２  傾斜溝
６０    剥落防止具
【図１】
2018065252.tif 000003
【図２】
2018065252.tif 000004
【図３】
2018065252.tif 000005
【図４】
2018065252.tif 000006
【図５】
2018065252.tif 000007
【図６】
2018065252.tif 000008
【図７】
2018065252.tif 000009
【図８】
2018065252.tif 000010